(57)【要約】【課題】前面ベゼルとカラーＣＲＴとを組み合わせる際に、前面ベゼルに形成されたリブが、カラーＣＲＴの防爆バンドの外周に接するようにして位置決めする構成の場合、防爆バンドに沿う位置に予め貼り付けるミスランディング補正用の補正マグネットを、リブの邪魔にならない位置に正確に貼り付ける作業が困難であった。【解決手段】前面ベゼルとカラーＣＲＴ１とを組み合わせる際に、前面ベゼルのリブが延在する規制領域５が明確になるように、防爆バンド２の所定箇所に、マーキングエリア２ａを形成する。【選択図】　　　　図１
2004047197.tif 000002
【特許請求の範囲】
【請求項１】
外囲を構成するガラスバルブのフロントパネル部のスカート部の外周を緊締する防爆バンドと、該防爆バンドのファンネル部側の側部に近接或いは接した状態で、画面の四隅近傍に配置される補正マグネットとを有するカラーＣＲＴにおいて、
前記防爆バンドに、前記補正マグネットを固定する際の目安となるマーキングエリアを設けたことを特徴とするカラーＣＲＴ。
【請求項２】
前記マーキングエリアは、前記防爆バンドの表面に所定模様の刻印を施すことによって形成されていることを特徴とする請求項１記載のカラーＣＲＴ。
【請求項３】
前記マーキングエリアは、前記防爆バンドの表面に凹部又は／及び凸部を施すことによって形成されていることを特徴とする請求項１記載のカラーＣＲＴ。
【請求項４】
前記マーキングエリアは、前記防爆バンドのファンネル部側の側部に凹部又は／及び凸部を施すことによって形成されていることを特徴とする請求項１記載のカラーＣＲＴ。
【請求項５】
前記防爆バンドに、複数の異なる種類のマーキングエリアを形成したことを特徴とする請求項１記載のカラーＣＲＴ。
【請求項６】
請求項１のカラーＣＲＴと、
該カラーＣＲＴの前記防爆バンドの外周に接して位置決めするための複数のリブが形成された前面ベゼルとを有し、
前記カラーＣＲＴと前記前面ベゼルとを組み合わせた際に、前記リブが延在する領域に前記マーキングエリアを設けたことを特徴とするＣＲＴディスプレイ装置。
【発明の詳細な説明】
【０００１】
【発明の属する技術分野】
本発明は、ＣＲＴディスプレイ装置に関し、特にカラーＣＲＴのランディング補正用マグネットを備えたＣＲＴディスプレイ装置に関する。
【０００２】
【従来の技術】
図６は、従来のカラーＣＲＴの要部構成を示す図で、同図（ａ）はその平面図、同図（ｂ）はその正面図である。
【０００３】
これらの図に示すように、カラーＣＲＴ（ｃａｔｈｏｄｅ−ｒａｙ　ｔｕｂｅ）１０の外囲を構成するガラスバルブは、大きくわけて、画面１１ａを含むフロントパネル部１１、コーン部の外側に外部導電膜１２ａが形成され、また図示しない偏向ヨーク等を装着して電子ビーム偏向空間を形成するファンネル部１２、内部に電子銃１４を配設したネック部１３から構成されている。フロントパネル部１１のスカート部１１ｂの外周面には、爆縮を防止するためにこれを緊締する防爆バンド１５が施されている。
【０００４】
尚、ネック部１３の中心を通って画面１１ａに垂直に交わる仮想線を管軸ｘとし、ネック部１３から画面１１ａに向かう方向をその＋方向と仮定する。
【０００５】
図６（ｂ）に示すように、４つの補正マグネット１６〜１９は、画面１１ａの４隅近傍に位置し、フロントパネル１１のスカート部１１ｂに施された防爆バンド１５のファンネル部１２側の側部に接する位置に固着されている。そのうち、補正マグネット１６，１７は、画面１１ａの上辺の両端近傍に位置し、補正マグネット１８，１９は、画面１１ａの下辺の両端近傍に位置している。
【０００６】
そして画面１１ａの対角に位置する補正マグネット１６，１８は、管軸ｘのプラス側がＳ極となるように配置され、もう一方の対角に位置する補正マグネット１７，１９は、管軸ｘのプラス側がＮ極となるように配置されている。
【０００７】
一方、カラーＣＲＴ１０は、４つの補正マグネット１６〜１９を配設していない段階において、製造時のバラツキ等により、例えば画面コーナー部に顕微鏡見で外向のミスランディングが発生しているものとする。この画面コーナー部に発生する外向きのミスランディングは、４つの補正マグネット１６〜１９を配設することによって補正することができるが、次にこの原理について図３（ｂ）を参照しながら説明する。
【０００８】
補正マグネット１６によって、その近傍の画面の隅に発生する磁界Ｂ１の方向は、管軸ｘのプラス方向（図６（ｂ）の紙面の裏から表に向かう方向）となる。また、補正マグネット１６の近傍を通過する電子ビームの方向には、画面１１ａの垂直上向き成分が含まれるが、この成分を電流として記述すると、同図に示すように、垂直下向きの電流成分Ｉ１として表すことができる。
【０００９】
この場合、フレミングの左手の法則により、電子ビームには左方向（画面正面からみて水平方向の外向き）の力Ｆ１が加わる。同様の理由により、他の補正マグネット１７，１８，１９によって各近傍の画面の隅には磁界Ｂ２，Ｂ３，Ｂ４が発生し、各部を通過する電子ビームには画面正面からみて水平方向の外向きの力Ｆ２，Ｆ３，Ｆ４が加わる。
【００１０】
以上の作用により、補正マグネット１６〜１９による電子ビームのランディング位置の変化はパネル正面からみて外向となり、顕微鏡見での変化では内向きに補正できたと観測できる。以上のような補正マグネットによるミスランディングの補正は、公知の技術として利用されている。
【００１１】
図７は、カラーＣＲＴ１０の画面１１ａの周辺部を覆って、ＣＲＴディスプレイ装置の外筐の一部をなす前面ベゼル２１とカラーＣＲＴ１０とを組み合わせる際の相対的な位置関係を部分的に示す取付け説明図である。
【００１２】
前面ベゼル２１は、カラーＣＲＴ１０のフロントパネル部１１の略長方形の画面１１ａの周辺部とスカート部１１ｂを覆う位置にあり、スカート部１１ｂの外周に位置して長方形枠状の側壁部２１ａと、この側壁部２１ａから画面１１ａの周辺部に延在する縁取り部２１ｂとからなる。
【００１３】
そしてこの前面ベゼル２１には、カラーＣＲＴ１０のスカート部１１ｂに施された防爆バンド１５の外周に接して位置決めするためのリブ２１ｃが複数形成されている。例えば、画面１１ａの上下辺に対応する部分には、各辺の端部近傍にそれぞれ２箇所形成され、画面１１ａの左右の各辺に対応する部分にも、各辺の端部近傍にそれぞれ２箇所形成されている。
【００１４】
従って、これら計８箇所のリブ２１ｃが、それぞれ図７に示すように防爆バンド１５の外周に接するように組み合わせることによって、カラーＣＲＴ１０と前面ベゼル２１とは互いに位置決めされた状態を保つことができる。
【００１５】
【発明が解決しようとする課題】
図８は、補正マグネット１６〜１９（図６（ｂ））を取り付ける位置を説明するための図で、カラーＣＲＴ１０のフロントパネル部１１を上方からみた部分平面図である。
【００１６】
同図中、斜線部は、前記したように、前面ベセル２１（図７）が取り付けられる際に、そのリブ２１ｃが占めるリブ占有領域２５を示している。従ってこの領域には、前記した補正マグネット１６，１７を配設することができないため、何らかの方法でこのリブ占有領域２５を確保する必要がある。
【００１７】
しかしながら、現状の補正マグネット１６，１７の貼り付け作業工程では、正確にリブ占有領域２５を確認しながら補正マグネットを貼り付けすることができず、この貼り付け工程後の外観検査時にリブ占有領域２５が確保されているか否かをチェックしていた。
【００１８】
従って、この外観検査工程でＮＧになった製造品については、再度補正マグネットの貼り付け位置を調整するなどの作業が必要になり、作業性を劣化させる問題があった。
【００１９】
また、同種のカラーＣＲＴ１０を採用して、異なる機種のＣＲＴディスプレイ装置を製造する際には、その機種ごとに前面ベゼル２１の形状が異なり、リブ２１ｃの位置及び幅等も異なる。このような場合には、機種ごとのリブ占有領域２５のデータ、即ち防爆バンド１５のバンドエッジ１５ａからの距離ａ、及びリブ占有領域２５の幅ｂをそれぞれ管理しなければならず、更に作業性を劣化させる要因となっていた。
【００２０】
本発明の目的は、これらの問題を解消し、前面ベゼルの形状の異なる複数のＣＲＴディスプレイ装置に採用された場合にも、補正マグネットの貼り付けにかかわる作業性を劣化させることないカラーＣＲＴ、及びＣＲＴディスプレイ装置を提供することにある。
【００２１】
【課題を解決するための手段】
請求項１のカラーＣＲＴは、外囲を構成するガラスバルブのフロントパネル部のスカート部の外周を緊締する防爆バンドと、該防爆バンドのファンネル部側の側部に近接或いは接した状態で、画面の四隅近傍に配置される補正マグネットとを有するカラーＣＲＴにおいて、
前記防爆バンドに、前記補正マグネットを固定する際の目安となるマーキングエリアを設けたことを特徴とする。
【００２２】
請求項２のカラーＣＲＴは、請求項１記載のカラーＣＲＴにおいて、
前記マーキングエリアは、前記防爆バンドの表面に所定模様の刻印を施すことによって形成されていることを特徴とする。
また、請求項３のカラーＣＲＴは、請求項１記載のカラーＣＲＴにおいて、
前記マーキングエリアが、前記防爆バンドの表面に凹部又は／及び凸部を施すことによって形成されていることを特徴とする。
【００２３】
請求項４のカラーＣＲＴは、請求項１記載のカラーＣＲＴにおいて、
前記マーキングエリアが、前記防爆バンドのファンネル部側の側部に凹部又は／及び凸部を施すことによって形成されていることを特徴とする。
また、請求項５のカラーＣＲＴは、請求項１記載のカラーＣＲＴにおいて、
前記防爆バンドに、複数の異なる種類のマーキングエリアを形成したことを特徴とする。
【００２４】
請求項６のＣＲＴディスプレイ装置は、
請求項１のカラーＣＲＴと、該カラーＣＲＴの前記防爆バンドの外周に接して位置決めするための複数のリブが形成された前面ベゼルとを有し、
前記カラーＣＲＴと前記前面ベゼルとを組み合わせた際に、前記リブが延在する領域に前記マーキングエリアを設けたことを特徴とする。
【００２５】
【発明の実施の形態】
実施の形態１．
図１は、本発明のＣＲＴディスプレイ装置によるカラーＣＲＴの実施の形態１の要部構成を示す図で、同図（ａ）はその外形平面図であり、同図（ｂ）は防爆バンドの部分拡大図である。
【００２６】
図１に示すカラーＣＲＴ１が前記した図６のカラーＣＲＴ１０と異なる点は防爆バンド２にマーキングエリア２ａが形成されている点と、補正マグネット３，４が画面の隅に２つずつ対になって配設されている点である。従って、図１のカラーＣＲＴ１が図６のカラーＣＲＴ１０と共通する部分については一部図を省略し、或いは同符号を付してその説明を省略し、異なる点を重点的に説明する。
【００２７】
図１に示すように、防爆バンド２の所定領域には、マーキングエリア２ａが形成されている。このマーキングエリア２ａは、前面ベゼル２１（図７）を組み込む際に、そのリブ２１ｃ（図７）が占有する範囲を示すもので、図１に示すように、このマーキングエリア２ａを含んで、管軸ｘと平行な規制領域５にリブ２１ｃが延在することを示している。
【００２８】
従って、補正マグネット３，４を貼り付ける際には、この規制領域５を避けるように、即ち、マーキングエリア２ａと、管軸ｘ方向において重ならない位置に貼り付ける。このとき、一対の補正マグネット３は、共に管軸ｘのプラス側がＳ極となるように配置し、もう一方の一対の補正マグネット４は、共に管軸ｘのプラス側がＮ極となるように配置する。これによって、各補正マグネット３，４は、それぞれ図６に示す補正マグネット１６，１７と同等の効果を及ぼす。
【００２９】
いま、画面１１ａの上辺側の補正マグネット３，４の取り付け方法について説明したが、防爆バンド２には、画面１１ａの下辺側においても同様のマーキングエリアが形成されており、同部分における補正マグネットの貼り付け時の目安となる。
【００３０】
図１（ｂ）は、マーキングエリア２ａの部分拡大図である。同図に示すように、防爆バンド２の表面には、前面ベゼル２１のリブ２１ｃ（図７）の幅に相当する幅ｂにわたって格子状の刻印６が施され、これによってマーキングエリア２ａが形成されている。
【００３１】
以上のように、実施の形態１のカラーＣＲＴ１によれば、防爆バンド２に形成されたマーキングエリアを目安として、前面ベゼル２１のリブ２１ｃが延在しない領域に正確に補正マグネットを貼り付けることができるため、生産工程での歩留まりが向上して作業性を高めることができる。
【００３２】
実施の形態２．
図２は、防爆バンド２に形成されるマーキングエリアの実施の形態２の形成例を示す図である。
【００３３】
同図に示すように、この防爆バンド２の、補正マグネットが貼り付けられるファンネル部側の側部には、前面ベゼル２１のリブ２１ｃ（図７）の幅に相当する幅ｂにわたって切り欠き部７を形成することによって、マーキングエリア２ｂが形成されている。従ってこの場合、図１に示すように補正マグネット３，４を貼り付ける際には、この切り欠き部７を避けることにより、規制領域５を侵すことなく貼り付けることができる。
【００３４】
実施の形態３．
図３は、防爆バンド２に形成されるマーキングエリアの実施の形態３の形成例を示す図である。
【００３５】
同図に示すように、この防爆バンド２の、補正マグネットが貼り付けられるファンネル部側の側部には、前面ベゼル２１のリブ２１ｃ（図７）の幅に相当する幅ｂの両端部を示す一対の凹部８を形成することによって、マーキングエリア２ｃが形成されている。従ってこの場合、図１に示すように補正マグネット３，４を貼り付ける際には、一対の凹部８の外側に位置決めすることによって、規制領域５を侵すことなく貼り付けることができる。
【００３６】
実施の形態４．
図４は、防爆バンド２に形成されるマーキングエリアの実施の形態４の形成例を示す図である。
【００３７】
同図に示すように、防爆バンド２の表面には、前面ベゼル２１のリブ２１ｃ（図７）の幅に相当する幅ｂの両端部を示す一対の長溝部９を管軸ｘ方向に施すことによって、マーキングエリア２ｄが形成されている。従ってこの場合、図１に示すように補正マグネット３，４を貼り付ける際には、一対の長溝部９の外側に位置決めすることによって、規制領域５を侵すことなく貼り付けることができる。
【００３８】
実施の形態５．
図５は、防爆バンド２に形成されるマーキングエリアの実施の形態５の形成例を示す図である。
【００３９】
同図に示すように、本実施の形態５では、上記した実施の形態１，３，４に示した形状のことなるマーキングエリアを同時に防爆バンド２に形成している。
各マーキングエリア２ａ，２ｃ，２ｄは、この防爆バンド２を採用するカラーＣＲＴが、形状の異なる複数の前面ベゼルと組み合わせられることを想定して形成されるもので、各マーキングエリア２ａ，２ｃ，２ｄは、各前面ベセルに形成されたリブの、互いに異なるリブ占有領域２５（図８）に対応するように形成される。
【００４０】
従って、実施の形態５に示すように、形状の異なる複数のマーキングエリアを形成した防爆バンドを採用したカラーＣＲＴによれば、同種のカラーＣＲＴを採用して異なる機種のＣＲＴディスプレイ装置を製造する際にも、機種ごとの占有領域２５（図８）のデータを管理する必要がなく、更に各々正確に補正マグネットを所望位置に貼り付けることができるため、生産工程での歩留まりが向上して作業性を高めることができる。
【００４１】
尚、前記実施の形態２，３では、防爆バンドの側面に、切り欠き部７や凹部８等のように側面から引っ込んだ凹部を形成したが、同じ場所に、側面から突き出た凸部を形成してもよい。同様に、前記実施の形態４では、防爆バンドの表面に、長溝部９を形成したが、同じ場所に、表面から出っ張った凸部を形成してもよい。
【００４２】
また、前記実施の形態では、マーキングエリアの両側に一対の補正磁石を貼り付けたが、これに限定されるものではなく、従来例の場合と同様に、１つの補正磁石をどちらか一方の側に貼り付けるようにしてもよいなど、種々の態様を取り得るものである。
【００４３】
また、前記した実施の形態の説明において、「上」、「下」、「左」、「右」といった言葉を使用したが、これらは便宜上であって、カラーＣＲＴを配置する状態における絶対的な位置関係を限定するものではない。
【００４４】
【発明の効果】
請求項１から４のカラーＣＲＴによれば、防爆バンドに形成されたマーキングエリアを目安として、前面ベゼルのリブが延在しない領域に正確に補正マグネットを貼り付けることができるため、生産工程での歩留まりが向上して作業性を高めることができる。
【００４５】
請求項５のカラーＣＲＴによれば、同種のカラーＣＲＴを採用して異なる機種のＣＲＴディスプレイ装置を製造する際にも、各機種ごとに、正確に補正マグネットを所望位置に貼り付けることができるため、生産工程での歩留まりが向上して作業性を高めることができる。
【００４６】
請求項６のＣＲＴディスプレイ装置によれば、前面ベゼルのリブの邪魔にならない位置に補正マグネットを貼り付ける際に、容易、且つ正確に行うことを可能にしたカラーＣＲＴを用いるため、生産コストの低減や、生産性の向上に貢献することができる。
【図面の簡単な説明】
【図１】本発明のＣＲＴディスプレイ装置によるカラーＣＲＴの実施の形態１の要部構成を示す図で、（ａ）はその外形平面図であり、（ｂ）は防爆バンドの部分拡大図である。
【図２】防爆バンド２に形成されるマーキングエリアの実施の形態２の形成例を示す図である。
【図３】防爆バンド２に形成されるマーキングエリアの実施の形態３の形成例を示す図である。
【図４】防爆バンド２に形成されるマーキングエリアの実施の形態４の形成例を示す図である。
【図５】防爆バンド２に形成されるマーキングエリアの実施の形態５の形成例を示す図である。
【図６】従来のカラーＣＲＴの要部構成を示す図で、（ａ）はその平面図、（ｂ）はその正面図である。
【図７】前面ベゼル２１とカラーＣＲＴ１０とを組み合わせる際の相対的な位置関係を部分的に示す取付け説明図である。
【図８】補正マグネットを取り付ける位置を説明するための図で、カラーＣＲＴ１０のフロントパネル部１１を上方からみた部分平面図である。
【符号の説明】
１　カラーＣＲＴ、　２　防爆バンド、　２ａ，２ｂ，２ｃ，２ｄ　マーキングエリア、　３，４　補正マグネット、　５　規制領域、　６　刻印、　７　切り欠き部、　８　凹部、　９　長溝部、　１０　カラーＣＲＴ、　１１　フロントパネル部、　１１ａ　画面、　１１ｂ　スカート部、　１２　ファンネル部、１２ａ　外部導電膜、　１３　ネック部、　１４　電子銃、　１５　防爆バンド、　１５ａ　バンドエッジ、　１６〜１９　補正マグネット、　２１　前面ベゼル、　２１ａ　側壁部、　２１ｂ　縁取り部、　２１ｃ　リブ。
【図１】
2004047197.tif 000003
【図２】
2004047197.tif 000004
【図３】
2004047197.tif 000005
【図４】
2004047197.tif 000006
【図５】
2004047197.tif 000007
【図６】
2004047197.tif 000008
【図７】
2004047197.tif 000009
【図８】
2004047197.tif 000010